(57)【特許請求の範囲】
【請求項１】
画像を表示する表示部と、
押操作を受け付ける入力部と、
音を発生させる音源部と、
前記入力部への押操作に応じた電気信号を出力する副制御部と、
前記副制御部が出力した前記電気信号に応じて前記表示部を制御する主制御部とを備え、
前記副制御部は、前記入力部への押操作がない時間が所定の待機時間だけ継続したときに前記主制御部と前記表示部との動作を停止させ、その後に前記入力部への押操作があったときに前記主制御部と前記表示部との動作を再開させるものであって、
前記主制御部は、前記音源部に直接接続され、前記入力部への押操作の少なくとも一部に対しては前記副制御部を介さずに前記音源部を制御することを特徴とするインタフェース装置。
【請求項２】
前記副制御部と前記主制御部とにおいて、前記音源部に接続される端子は、少なくとも前記副制御部と前記主制御部との他方が前記音源部を制御する期間中にはハイインピーダンス状態とされることを特徴とする請求項１記載のインタフェース装置。
【請求項３】
前記副制御部と前記主制御部とは、前記音源部を動作させる際、前記副制御部と前記主制御部との他方に対して所定の電気信号を入力し、前記所定の電気信号を入力された前記副制御部と前記主制御部との前記他方は前記端子をハイインピーダンス状態とすることを特徴とする請求項２記載のインタフェース装置。
【請求項４】
前記主制御部の動作中に前記入力部において押操作がされたときには前記主制御部が前記音源部を制御して音を発生させ、
前記主制御部の停止中に前記入力部において押操作がされたときには前記副制御部が前記音源部を制御して音を発生させることを特徴とする請求項１〜３のいずれか１項に記載のインタフェース装置。
【請求項５】
前記主制御部は、動作中に前記入力部において押操作がされたときに前記押操作が有効か無効かを判定し、前記押操作が解除されたときに前記判定の結果に応じた音を発生させるように前記音源部を制御することを特徴とする請求項４記載のインタフェース装置。
【請求項６】
前記主制御部は、少なくとも前記押操作が有効と判定された場合には前記押操作に応じて前記表示部を制御することを特徴とする請求項５記載のインタフェース装置。
【請求項７】
前記入力部はタッチパネルと押釦装置とを含み、
前記主制御部は、前記タッチパネルにおける押操作が有効か無効を判定するとともに判定結果に応じた音を発生させるように前記音源部を制御し、前記タッチパネルにおける押操作が有効であれば該入力が受け付けられた後の状態での前記押釦装置における押操作の有効・無効の判定に用いられる判定用データを前記副制御部に入力し、
前記副制御部は、前記判定用データを用いて前記押釦装置における押操作が有効か無効かを判定するとともに判定結果に応じた音を発生させるように前記音源部を制御することを特徴とする請求項１〜３のいずれか１項に記載のインタフェース装置。
【請求項８】
前記主制御部は、前記タッチパネルにおいて押操作がされたときに前記押操作が有効か無効かを判定し、前記押操作が解除されたときに前記判定の結果に応じた音を発生させるように前記音源部を制御することを特徴とする請求項７記載のインタフェース装置。
【請求項９】
前記主制御部は、少なくとも前記押操作が有効と判定された場合には前記押操作に応じて前記表示部を制御することを特徴とする請求項８記載のインタフェース装置。
【請求項１０】
前記入力部はタッチパネルと押釦装置とを含み、
前記主制御部は、前記タッチパネルにおける押操作が有効か無効を判定するとともに判定結果に応じた音を発生させるように前記音源部を制御し、
前記副制御部は、前記押釦装置における押操作が有効か無効かを判定するとともに判定結果に応じた音を発生させるように前記音源部を制御することを特徴とする請求項１〜３のいずれか１項に記載のインタフェース装置。
【請求項１１】
前記主制御部は、前記タッチパネルにおいて押操作がされたときに前記押操作が有効か無効かを判定し、前記押操作が解除されたときに前記判定の結果に応じた音を発生させるように前記音源部を制御することを特徴とする請求項１０記載のインタフェース装置。
【請求項１２】
前記主制御部は、少なくとも前記押操作が有効と判定された場合には前記押操作に応じて前記表示部を制御することを特徴とする請求項１１記載のインタフェース装置。
【請求項１３】
画像を表示する表示部と、
押操作を受け付ける入力部と、
音を発生させる音源部と、
前記表示部を制御する主制御部と、
前記入力部への押操作がない時間が所定の待機時間だけ継続したときに前記主制御部と前記表示部との動作を停止させ、その後に前記入力部への押操作があったときに前記主制御部と前記表示部との動作を再開させる副制御部とを備え、
前記入力部に押操作が受け付けられたとき、前記副制御部は押操作が受け付けられたことを示す音を発生させるように前記音源部を制御するとともに前記主制御部に前記押操作の内容を通知し、前記主制御部は前記押操作の有効・無効を判定するとともに判定結果は前記副制御部に入力し、前記副制御部は前記判定結果に応じた音を発生させるように前記音源部を制御することを特徴とするインタフェース装置。
【請求項１４】
画像を表示する表示部と、
押操作を受け付ける入力部と、
音を発生させる音源部と、
前記表示部を制御する主制御部と、
前記入力部への押操作がない時間が所定の待機時間だけ継続したときに前記主制御部と前記表示部との動作を停止させ、その後に前記入力部への押操作があったときに前記主制御部と前記表示部との動作を再開させる副制御部とを備え、
前記入力部に押操作が受け付けられたとき、前記副制御部は前記押操作の有効・無効を判定するとともに判定結果に応じた音を発生させるように前記音源部を制御することを特徴とするインタフェース装置。
【発明の詳細な説明】
【技術分野】
【０００１】
本発明は、インタフェース装置に関するものである。
【背景技術】
【０００２】
従来から、押操作を受け付ける入力部と、画像を表示する表示部と、報知のための音を発生させる音源部とを備えるインタフェース装置が提供されている（例えば、特許文献１参照）。
【０００３】
さらに、表示部を制御する主制御部と、入力部への押操作に応じた電気信号を主制御部に入力するとともに音源部を制御する副制御部とを備えるインタフェース装置が提供されている。
【０００４】
上記のインタフェース装置においては、ある程度の長時間にわたって入力部に押操作がなければ表示部及び主制御部の動作が停止される。その後に入力部に何らかの押操作があったときに、副制御部が主制御部の動作を再開させ、これに伴って表示部の動作も再開される。これにより、表示部の表示が確認されることのない期間（例えば使用者の不在時や就寝時）に表示部の動作が継続されることによる無駄な電力消費が抑えられる。
【先行技術文献】
【特許文献】
【０００５】
【特許文献１】特開昭６３−１４６１１６号公報
【発明の概要】
【発明が解決しようとする課題】
【０００６】
ここで、入力部に受け付けられた押操作の有効・無効に応じた音を音源部において発生させようとする場合であって、上記有効・無効の判定を主制御部が行う場合を考える。
【０００７】
このような場合に、音源部の制御を副制御部のみが行うとすると、入力部への押操作の有効・無効の判定結果に応じた音を音源部に発生させる際に、副制御部から主制御部へ押操作に応じた信号の入力と、主制御部から副制御部へ判定結果に応じた信号の入力とが必要となる。このような主制御部と副制御部との間での信号の入出力に一定の時間がかかることにより、入力部への押操作が受け付けられてから音源部が音を発生させるまでのタイムラグが比較的に長くなっていた。
【０００８】
本発明は、上記事由に鑑みて為されたものであり、その目的は、入力部への押操作が受け付けられてから音源部が音を発生させるまでの時間が短縮されるインタフェース装置を提供することにある。
【課題を解決するための手段】
【０００９】
本発明のインタフェース装置は、画像を表示する表示部と、押操作を受け付ける入力部と、音を発生させる音源部と、前記入力部への押操作に応じた電気信号を出力する副制御部と、前記副制御部が出力した前記電気信号に応じて前記表示部を制御する主制御部とを備え、前記副制御部は、前記入力部への押操作がない時間が所定の待機時間だけ継続したときに前記主制御部と前記表示部との動作を停止させ、その後に前記入力部への押操作があったときに前記主制御部と前記表示部との動作を再開させるものであって、前記主制御部は、前記音源部に直接接続され、前記入力部への押操作の少なくとも一部に対しては前記副制御部を介さずに前記音源部を制御することを特徴とする。
【００１０】
上記のインタフェース装置において、各前記制御部において前記音源部に接続される端子はハイインピーダンス状態をとり得ることが望ましい。
【００１１】
また、上記のインタフェース装置において、前記副制御部と前記主制御部とにおいて、前記音源部に接続される端子は、少なくとも前記副制御部と前記主制御部との他方が前記音源部を制御する期間中にはハイインピーダンス状態とされることが望ましい。
【００１２】
さらに、上記のインタフェース装置において、前記副制御部と前記主制御部とは、前記音源部を動作させる際、前記副制御部と前記主制御部との他方に対して所定の電気信号を入力し、前記所定の電気信号を入力された前記副制御部と前記主制御部との前記他方は前記端子をハイインピーダンス状態とすることが望ましい。
【００１３】
また、上記のインタフェース装置において、前記主制御部は、動作中に前記入力部において押操作がされたときに前記押操作が有効か無効かを判定し、前記押操作が解除されたときに前記判定の結果に応じた音を発生させるように前記音源部を制御することが望ましい。
【００１４】
さらに、上記のインタフェース装置において、前記主制御部は、少なくとも前記押操作が有効と判定された場合には前記押操作に応じて前記表示部を制御することが望ましい。
【００１５】
または、上記のインタフェース装置において、前記入力部はタッチパネルと押釦装置とを含み、前記主制御部は、前記タッチパネルにおける押操作が有効か無効を判定するとともに判定結果に応じた音を発生させるように前記音源部を制御し、前記タッチパネルにおける押操作が有効であれば該入力が受け付けられた後の状態での前記押釦装置における押操作の有効・無効の判定に用いられる判定用データを前記副制御部に入力し、前記副制御部は、前記判定用データを用いて前記押釦装置における押操作が有効か無効かを判定するとともに判定結果に応じた音を発生させるように前記音源部を制御することが望ましい。
【００１６】
さらに、上記のインタフェース装置において、前記主制御部は、前記タッチパネルにおいて押操作がされたときに前記押操作が有効か無効かを判定し、前記押操作が解除されたときに前記判定の結果に応じた音を発生させるように前記音源部を制御することが望ましい。
【００１７】
また、上記のインタフェース装置において、前記主制御部は、少なくとも前記押操作が有効と判定された場合には前記押操作に応じて前記表示部を制御することが望ましい。
【００１８】
または、上記のインタフェース装置において、前記入力部はタッチパネルと押釦装置とを含み、前記主制御部は、前記タッチパネルにおける押操作が有効か無効を判定するとともに判定結果に応じた音を発生させるように前記音源部を制御し、前記副制御部は、前記押釦装置における押操作が有効か無効かを判定するとともに判定結果に応じた音を発生させるように前記音源部を制御することが望ましい。
【００１９】
また、上記のインタフェース装置において、前記主制御部は、前記タッチパネルにおいて押操作がされたときに前記押操作が有効か無効かを判定し、前記押操作が解除されたときに前記判定の結果に応じた音を発生させるように前記音源部を制御することが望ましい。
【００２０】
さらに、上記のインタフェース装置において、前記主制御部は、少なくとも前記押操作が有効と判定された場合には前記押操作に応じて前記表示部を制御することが望ましい。
【００２１】
本発明の別のインタフェース装置は、画像を表示する表示部と、押操作を受け付ける入力部と、音を発生させる音源部と、前記表示部を制御する主制御部と、前記入力部への押操作がない時間が所定の待機時間だけ継続したときに前記主制御部と前記表示部との動作を停止させ、その後に前記入力部への押操作があったときに前記主制御部と前記表示部との動作を再開させる副制御部とを備え、前記入力部に押操作が受け付けられたとき、前記副制御部は押操作が受け付けられたことを示す音を発生させるように前記音源部を制御するとともに前記主制御部に前記押操作の内容を通知し、前記主制御部は前記押操作の有効・無効を判定するとともに判定結果は前記副制御部に入力し、前記副制御部は前記判定結果に応じた音を発生させるように前記音源部を制御することを特徴とする。
【００２２】
本発明の更に別のインタフェース装置は、画像を表示する表示部と、押操作を受け付ける入力部と、音を発生させる音源部と、前記表示部を制御する主制御部と、前記入力部への押操作がない時間が所定の待機時間だけ継続したときに前記主制御部と前記表示部との動作を停止させ、その後に前記入力部への押操作があったときに前記主制御部と前記表示部との動作を再開させる副制御部とを備え、前記入力部に押操作が受け付けられたとき、前記副制御部は前記押操作の有効・無効を判定するとともに判定結果に応じた音を発生させるように前記音源部を制御することを特徴とする。
【発明の効果】
【００２３】
本発明によれば、入力部への押操作の少なくとも一部に対しては副制御部を介さずに音源部を制御し、又は、押操作の有効・無効が判定される前に音を発生させるように副制御部が音源部を制御し、又は、押操作の有効・無効の判定を副制御部が行うので、入力部への押操作の全てについて主制御部が有効・無効を判定し判定結果に応じて副制御部が音源部を制御する場合に比べ、入力部への押操作が受け付けられてから音源部が音を発生させるまでの主制御部と副制御部との間での信号の出入りが少なくなるから、入力部への押操作が受け付けられてから音源部が音を発生させるまでの時間が短縮される。
【図面の簡単な説明】
【００２４】
【図１】本発明の実施形態１を示すブロック図である。
【図２】同上を示す正面図である。
【図３】同上の要部を示す回路ブロック図である。
【図４】同上の比較例の要部を示す回路ブロック図である。
【図５】（ａ）（ｂ）はそれぞれ同上の動作を示すフロー図であり、（ａ）は入力部に押操作があったときに省電力モードであった場合における動作を示し、（ｂ）は入力部に押操作があったときに省電力モードでなかった場合における動作を示す。
【図６】同上の比較例の動作を示すフロー図である。
【図７】（ａ）（ｂ）はそれぞれ本発明の実施形態２の動作を示すフロー図であり、（ａ）はタッチパネルに押操作があった場合における動作を示し、（ｂ）は押釦装置に押操作があった場合における動作を示す。
【図８】本発明の実施形態３を示すブロック図である。
【図９】同上の動作を示すフロー図である。
【図１０】本発明の実施形態４の動作を示すフロー図である。
【図１１】本発明の実施形態１の変更例において押釦装置に押操作があったときに省電力モードでなかった場合における動作を示すフロー図である。
【発明を実施するための形態】
【００２５】
以下、本発明を実施するための最良の形態について、図面を参照しながら説明する。
【００２６】
（実施形態１）
本実施形態は、図１に示すように、画像を表示する表示部ＭＮと、押操作を受け付ける入力部ＣＰと、音を発生させる音源部ＢＺと、入力部ＣＰへの押操作に応じた電気信号を出力する副制御部ＰＵ２と、表示部ＭＮを制御する主制御部ＰＵ１とを備える。
【００２７】
表示部ＭＮは、例えば液晶パネル等の表示装置ＭＮ１（図２参照）と、主制御部ＰＵ１の制御に従って表示装置ＭＮ１を駆動する駆動回路とからなる。
【００２８】
さらに、本実施形態は、主制御部ＰＵ１に制御されて外部装置との間で電波を媒体とする無線信号を送受信する通信部ＲＤを備える。通信部ＲＤは、図２に示すようなアンテナＲＤ１を有する。
【００２９】
具体的には例えば、上記の外部装置は分電盤に設けられた電力計測装置であって、本実施形態は、入力部ＣＰへの押操作に応じて、住宅における消費電力量や、住宅に設けられた太陽電池等における発電量などの情報を、通信部ＲＤでの無線通信により上記の電力計測装置から取得して表示するものである。
【００３０】
入力部ＣＰは、表示装置ＭＮ１上での押操作（接触）を受け付けるタッチパネルＣＰ１と、それぞれ表示部ＭＮの近傍に配置された複数個（図２では２個）の押釦スイッチＣＰ２１を有する押釦装置ＣＰ２とを備える。
【００３１】
タッチパネルＣＰ１は、表示部ＭＮ上（より具体的には表示装置ＭＮ１の画面上）で押操作がされたとき、押操作された位置を示す電気信号Ｓ０（図５参照。以下、「操作開始信号」と呼ぶ。）を副制御部ＰＵ２に入力する。また、タッチパネルＣＰ１は、上記の押操作が解除されたとき、解除される直前の時点での押操作の位置を示す電気信号Ｓ１（図５参照。以下、「操作終了信号」と呼ぶ。）を副制御部ＰＵ２に入力する。
【００３２】
押釦装置ＣＰ２は、いずれかの押釦スイッチＣＰ２１が押操作されたときに、所定の電気信号Ｓ０（図５参照。以下、「操作開始信号」と呼ぶ。）を副制御部ＰＵ２に入力する。また、押釦装置ＣＰ２は、上記の押操作が解除されたとき、所定の電気信号Ｓ１（図５参照。以下、「操作終了信号」と呼ぶ。）を副制御部ＰＵ２に入力する。操作開始信号Ｓ０と操作終了信号Ｓ１とは、それぞれ、いずれの押釦スイッチＣＰ２１が押操作されたかを示す情報を含む。
【００３３】
また、タッチパネルＣＰ１と押釦装置ＣＰ２とは、それぞれ、チャタリング防止用の回路を含む。チャタリング防止用の回路は、例えば、押操作の継続時間が所定時間に達するまでは操作開始信号Ｓ０を出力しないといったものである。または、チャタリング防止用の回路は、押操作がない状態の継続時間が所定時間に達するまでは操作終了信号Ｓ１を出力しない（つまり、上記所定時間以内の間隔で連続する複数個の押操作を、互いに連続した１個の押操作とみなす）ものであってもよい。
【００３４】
音源部ＢＺは、図３に示すように、電気的な音源ＢＺ１と、副制御部ＰＵ２及び主制御部ＰＵ１に制御されて音源ＢＺ１への通電をオンオフするスイッチング素子ＳＷ１とを備える。音源ＢＺ１としては例えば圧電ブザーを用いることができ、スイッチング素子ＳＷ１としては例えばトランジスタを用いることができる。
【００３５】
ここで、各制御部ＰＵ１，ＰＵ２は、それぞれ、音源部ＢＺのスイッチング素子ＳＷ１の制御用の端子（例えばベース）に接続された端子（以下、「音源制御端子」と呼ぶ。）を有し、音源制御端子からの出力によってそれぞれ音源部ＢＺを制御可能となっている。また、各制御部ＰＵ１，ＰＵ２において、音源制御端子は、ＨレベルとＬレベルとに加えてハイインピーダンス状態をとり得る。そして、各制御部ＰＵ１，ＰＵ２は、音を発生させるように音源部ＢＺを制御する前に、他方の（つまり、その時点では音源部ＢＺを制御しない側の）制御部ＰＵ１，ＰＵ２に対して所定の電気信号（以下、「駆動通知信号」と呼ぶ。）を入力する。上記の駆動通知信号を入力された制御部ＰＵ１，ＰＵ２は音源制御端子をハイインピーダンス状態とする。音源制御端子がハイインピーダンスとされる期間は、他の制御部ＰＵ１，ＰＵ２が音源部ＢＺを制御する期間を含んでいればよく、駆動通知信号の入力が継続されている期間であっても、駆動通知信号が入力されてから一定の長さの期間であってもよい。これにより、図４に示す第２のスイッチング素子ＳＷ２のような、制御部ＰＵ１，ＰＵ２間での電流の回り込みを防止するための素子を設ける必要がなくなり、図３に示すように各制御部ＰＵ１，ＰＵ２をそれぞれ音源部ＢＺの１個の入力端子にバス接続することが可能となる。なお、フロー図では上記の駆動通知信号の図示は省略している。
【００３６】
また、副制御部ＰＵ２は、入力部ＣＰへの押操作がない時間が所定の待機時間だけ継続したときに主制御部ＰＵ１と表示部ＭＮとの動作を停止させる省電力モードに移行する。つまり、上記の省電力モード中は、主制御部ＰＵ１や表示部ＭＮへの電力供給が停止又は削減される。さらに、副制御部ＰＵ２は、上記の省電力モード中に入力部ＣＰへの押操作があったときに、主制御部ＰＵ１と表示部ＭＮとの動作を再開させて上記の省電力モードから復帰させる。上記のような省電力モードへの移行により、表示部ＭＮが確認されない期間（例えば使用者の外出中や就寝中）に表示部ＭＮでの表示が継続されることによる無駄な電力消費が抑えられる。
【００３７】
以下、本実施形態の特徴である、入力部ＣＰに入力があったときの各部の動作を説明する。
【００３８】
既に述べたように、タッチパネルＣＰ１と押釦装置ＣＰ２とのいずれかで押操作が受け付けられる（Ｐ１）と、入力部ＣＰは操作開始信号Ｓ０を副制御部ＰＵ２に入力する。また、入力部ＣＰは、上記の押操作が解除されたときに、操作終了信号Ｓ１を副制御部ＰＵ２に入力する。
【００３９】
副制御部ＰＵ２は、操作開始信号Ｓ０が入力されたとき、省電力モード中であれば、図５（ａ）に示すように、動作の再開を指示する所定の電気信号（以下、「動作再開信号」と呼ぶ。）Ｓ２を主制御部ＰＵ１に入力する。動作再開信号を入力された主制御部ＰＵ１は動作を再開する（Ｐ２）。また、副制御部ＰＵ２は、動作再開信号Ｓ２を出力するとともに、所定の駆動信号Ｓ３を音源部ＢＺに入力することで、省電力モードからの復帰を示す所定の音を発生させる（Ｐ３）ように音源部ＢＺを制御する。
【００４０】
また、副制御部ＰＵ２は、操作開始信号Ｓ０が入力されたときに省電力モード中でなければ、図５（ｂ）に示すように操作開始信号Ｓ０と操作終了信号Ｓ１とを主制御部ＰＵ１に転送する。主制御部ＰＵ１は、操作開始信号Ｓ０が入力されると、操作開始信号Ｓ０に示された押操作の有効・無効を判定する（Ｐ４）。ここで、有効と判定される押操作は、押操作がされたときの状態で意味をもつ操作であり、無効と判定される押操作は、押操作がされたときの状態で意味をもたない操作である。具体的には、無効と判定される押操作としては、例えば、タッチパネルＣＰ１において釦として設定されていない領域に対する押操作や、何も選択されていない状態で選択のキャンセルを指示する押操作などが考えられる。
【００４１】
ところで、タッチパネルＣＰ１においては、押操作が継続されたまま押操作の位置が変化する場合があるので、操作終了信号Ｓ１に示される押操作の位置が、操作開始信号Ｓ０に示される押操作の位置とは異なる場合がある。また、押釦装置ＣＰ２においては、押操作の継続時間が所定時間以上である場合には、いわゆる長押しとして認識され、上記の継続時間が上記所定時間未満である場合とは異なる指示として認識される場合がある。
【００４２】
そこで、主制御部ＰＵ１は、操作終了信号Ｓ１が入力されると、まず有効・無効判定が変化する可能性があるか否かを判定する。そして、有効・無効判定が変化する可能性がなければ、操作開始信号Ｓ０が入力されたときの判定結果を維持する。また、有効・無効判定が変化する可能性があれば、操作終了信号Ｓ１に基いて押操作の有効・無効を判定する。なお、タッチパネルＣＰ１としては、操作終了信号Ｓ１に押操作の位置の情報を含まない代わりに、押操作の位置（座標）を示す信号（以下、「座標信号」と呼ぶ。）を副制御部ＰＵ２に随時（例えば定期的に）入力するものを用いてもよい。この場合、押操作の有効・無効の判定は、操作終了信号Ｓ１ではなく、操作終了信号Ｓ１の直前に入力された座標信号に基いて行われる。
【００４３】
その後、主制御部ＰＵ１は、適宜の制御信号Ｓ４を音源部ＢＺに入力することで、上記有効・無効の判定の最終的な結果に応じた音を発生させる（Ｐ５）ように、音源部ＢＺを制御する。また、主制御部ＰＵ１は、上記判定の結果が有効であれば、有効と判定された押操作に応じて表示部ＭＮや通信部ＲＤを制御する（Ｐ６）。なお、図５の例では、制御信号Ｓ４の出力の後に表示部ＭＮ等の制御（Ｐ６）が行われているが、表示部ＭＮ等の制御（Ｐ６）が制御信号Ｓ４の出力よりも先に行われてもよい。
【００４４】
上記構成によれば、省電力モード中（つまり主制御部ＰＵ１の停止中）には有効・無効判定を経ずに音源部ＢＺが音を発生させるので、主制御部ＰＵ１が動作再開後に音源部ＢＺを制御する場合に比べ、入力部ＣＰが押操作されてから音源部ＢＺが音を発生させるまでの時間が短縮される。
【００４５】
また、省電力モード中でない（つまり主制御部ＰＵ１の動作中）ならば主制御部ＰＵ１が直接に音源部ＢＺを制御するので、図６に示すように有効・無効の判定結果を示す判定通知信号Ｓ６を主制御部ＰＵ１から入力された副制御部ＰＵ２が音源部ＢＺを制御する場合に比べ、入力部ＣＰが押操作されてから音源部ＢＺが音を発生させるまでの時間が短縮される。
【００４６】
さらに、入力部ＣＰが操作開始信号Ｓ０を出力したときに押操作の有効・無効の判定が行われるので、操作終了信号Ｓ１が出力されたときにしか上記の判定が行われない場合に比べ、操作終了信号Ｓ１によって判定結果が変化しないときに音源部ＢＺが音を発生させるまでの時間が短縮される。
【００４７】
（実施形態２）
本実施形態の基本構成は実施形態１と共通であるので、共通する部分については説明を省略する。
【００４８】
本実施形態は、副制御部ＰＵ２に操作開始信号Ｓ０が入力されたときに省電力モード中でなかった場合の動作が実施形態１とは異なる。
【００４９】
すなわち、押操作がタッチパネルＣＰ１に対するものであって有効と判定された場合、図７（ａ）に示すように、主制御部ＰＵ１は、通信部ＲＤや表示部ＭＮを制御する動作（Ｐ６）の後、該押操作が受け付けられた後の状態で押釦装置ＣＰ２のどの押釦スイッチＣＰ２１への押操作が有効と判定されるべきかを示す判定データＳ５を副制御部ＰＵ２に入力する。
【００５０】
また、押操作が押釦装置ＣＰ２に対するものであった場合、図７（ｂ）に示すように、副制御部ＰＵ２は、押釦装置ＣＰ２への押操作の履歴や、過去に主制御部ＰＵ１から入力された上記の判定データＳ５に基いて、押操作が有効か無効かを判定し、判定結果に応じた音を発生させるように音源部ＢＺを制御する。また、副制御部ＰＵ２は、少なくとも押操作が有効と判定された場合には、操作終了信号Ｓ１を主制御部ＰＵ１に入力する。主制御部ＰＵ１は、入力された操作終了信号に応じて、通信部ＲＤや表示部ＭＮを制御する（Ｐ６）。
【００５１】
上記構成によれば、押操作がタッチパネルＣＰ１に対するものであれば実施形態１と同様に主制御部ＰＵ１が直接に音源部ＢＺを制御するので、副制御部ＰＵ２を介して音源部ＢＺが制御される場合に比べ、入力部ＣＰが押操作されてから音源部ＢＺが音を発生させるまでの時間が短縮される。
【００５２】
また、押釦装置ＣＰ２に対する押操作の有効・無効の判定を主制御部ＰＵ１が行う場合に比べ、押釦装置ＣＰ２に押操作がされてから判定結果に応じた音が発生するまでの時間を短縮することができる。
【００５３】
なお、押釦装置ＣＰ２における押操作の有効・無効の判定が、タッチパネルＣＰ１での押操作の履歴に依存せず、押釦装置ＣＰ２での押操作の履歴のみに依存する場合、図７（ａ）のような判定データＳ５の入出力は省略することができる。このような場合としては、例えば、押釦装置ＣＰ２が、押釦スイッチＣＰ２１として、省電力モードからの復帰を指示するオンスイッチと省電力モードへの移行を指示するオフスイッチとを備える場合が考えられる。この場合、無効と判定される押操作は、省電力モードでない状態でのオンスイッチの押操作と、省電力モード中のオフスイッチの押操作である。
【００５４】
（実施形態３）
本実施形態の基本構成は実施形態１と共通であるので、共通する部分については説明を省略する。
【００５５】
本実施形態では、図８に示すように、主制御部ＰＵ１は音源部ＢＺに接続されておらず、副制御部ＰＵ２のみが音源部ＢＺに接続されて音源部ＢＺの制御を行う。
【００５６】
また、省電力モードでないときに入力部ＣＰに押操作がされると、図９に示すように、副制御部ＰＵ２は、所定の制御信号Ｓ７を音源部ＢＺに入力することで、押操作が受け付けられたことを示す音を発生させる（Ｐ７）ように音源部ＢＺを制御する。また、副制御部ＰＵ２は、入力部ＣＰから入力された操作終了信号Ｓ１を主制御部ＰＵ１に入力する。主制御部ＰＵ１は、操作終了信号Ｓ１が入力されると、操作終了信号Ｓ１に示された押操作の有効・無効を判定し、判定結果を示す判定通知信号Ｓ６を副制御部ＰＵ２に入力する。また、主制御部ＰＵ１は、上記の判定結果が有効であれば、通信部ＲＤや表示部ＭＮを制御する（Ｐ６）。ここで、図９では判定通知信号Ｓ６の出力の後に表示部ＭＮ等の制御（Ｐ６）が行われているが、表示部ＭＮ等の制御（Ｐ６）の後に判定通知信号Ｓ６が出力されてもよい。上記の判定通知信号Ｓ６を入力された副制御部ＰＵ２は、判定通知信号Ｓ６に示された判定結果に応じた音を発生させるように適宜の制御信号Ｓ４により音源部ＢＺを制御する。
【００５７】
つまり、本実施形態では、音源部ＢＺは押操作毎に２回ずつ音を発生させる。
【００５８】
上記構成によれば、押操作が受け付けられたことを示す音を発生させない場合に比べ、入力部ＣＰが押操作されてから音源部ＢＺが音を発生させるまでの時間が短縮される。
【００５９】
（実施形態４）
本実施形態の基本構成は実施形態３と共通であるので、共通する部分については説明を省略する。
【００６０】
本実施形態では、図１０に示すように、押操作が受け付けられたことを示す音を発生させない点と、入力部ＣＰにおける押操作の有効・無効の判定を副制御部ＰＵ２が行う点とが、実施形態３と異なる。
【００６１】
すなわち、副制御部ＰＵ２は、省電力モードでないときに入力部ＣＰに押操作がされると、入力部ＣＰから入力された操作終了信号Ｓ１を主制御部ＰＵ１に入力する。主制御部ＰＵ１は、入力された操作終了信号Ｓ１に応じて、通信部ＲＤや表示部ＭＮを制御する（Ｐ６）。さらに、主制御部ＰＵ１は、上記制御後の状態での押操作の有効・無効の判定に用いられる判定データＳ５を副制御部ＰＵ２に入力する。
【００６２】
また、副制御部ＰＵ２は、操作終了信号Ｓ１に示された押操作の有効・無効を判定し（Ｐ４）、判定結果に応じた音を発生させるように適宜の制御信号Ｓ４により音源部ＢＺを制御する。
【００６３】
上記構成によれば、押操作の有効・無効の判定を主制御部ＰＵ１が行う場合に比べ、入力部ＣＰが押操作されてから音源部ＢＺが音を発生させるまでの時間が短縮される。
【００６４】
なお、本実施形態では、有効な押操作の履歴を副制御部ＰＵ２で管理することができるので、主制御部ＰＵ１からの判定データＳ５の入力を省略してもよい。
【００６５】
また、実施形態３，４においても、実施形態１，２と同様に、入力部ＣＰから操作開始信号Ｓ０が出力されたときに押操作の有効・無効の判定が行われるようにしてもよい。
【００６６】
さらに、上記の各実施形態において、押釦装置ＣＰ２における押操作が長押しか否かによって有効・無効判定が変化することがない場合、図１１に示すように、押釦装置ＣＰ２への押操作については操作終了信号Ｓ１の出力前に音源部ＢＺの駆動がされてもよい。図１１は実施形態１への上記変更の適用例を示すものである。図１１の例では、押操作が長押しか否かが、有効・無効判定（Ｐ４）に影響しなくとも、表示部ＭＮ等の制御（Ｐ６）の内容には影響する可能性があることにより、表示部ＭＮ等の制御（Ｐ６）は操作終了信号Ｓ１が入力された後とされている。
【００６７】
または、上記の各実施形態において、入力部ＣＰとして、操作開始信号Ｓ０と操作終了信号Ｓ１との一方のみを出力するものを用いてもよい。また、タッチパネルＣＰ１としては上記信号Ｓ０，Ｓ１の両方を出力するものを用い、押釦装置ＣＰ２としては操作開始信号Ｓ０のみを出力するものを用いるといったように、タッチパネルＣＰ１と押釦装置ＣＰ２とで出力する信号Ｓ０，Ｓ１を異ならせてもよい。ただし、押釦装置ＣＰ２として操作開始信号Ｓ０のみを出力するものを用いた場合には、長押操作が不可能となる。また、タッチパネルＣＰ１として操作開始信号Ｓ０のみを出力するものを用いた場合には、押操作を継続したまま押操作位置を変更するような操作が不可能となる。また、入力部ＣＰとして操作終了信号Ｓ１のみを出力するものを用いた場合には、押操作の継続時間を入力部ＣＰが計時するならば長押操作は可能となるが、省電力モードからの復帰（Ｐ２）や、押操作の有効・無効の判定（Ｐ４）を行えるタイミングが遅くなる。従って、入力部ＣＰとしては、上記のように、操作開始信号Ｓ０と操作終了信号Ｓ１との両方を出力するものを用いることが望ましい。
【符号の説明】
【００６８】
ＢＺ  音源部
ＣＰ  入力部
ＣＰ１  タッチパネル
ＣＰ２  押釦装置
ＭＮ  表示部
ＰＵ１  主制御部
ＰＵ２  副制御部
【図１】
0005909720.tif 000002
【図２】
0005909720.tif 000003
【図３】
0005909720.tif 000004
【図４】
0005909720.tif 000005
【図５】
0005909720.tif 000006
【図６】
0005909720.tif 000007
【図７】
0005909720.tif 000008
【図８】
0005909720.tif 000009
【図９】
0005909720.tif 000010
【図１０】
0005909720.tif 000011
【図１１】
0005909720.tif 000012